(57)【要約】【課題】本発明は定量コップを開示した。【解決手段】本発明は定量コップを公示し、本体を含み、前記本体の外側端面には目盛盤が設置され、前記本体の前側端面には水管が固定的に取り付けられ、前記水管の中には通水孔が設置され、前記本体の中には前記通水孔と連通した連結溝が設置され、前記本体の後側端面には回転溝が設置され、本発明は定量板の位置を調整し、そしてプッシュ機構と協働することで、定量の水を取ることができ、あるいはコップ内の水量を調整でき、人々が規定量の水でものを漬けるのにより便利にさせ、ものの食感や栄養に影響しない。【選択図】図１
2020179134.tif 000002
【特許請求の範囲】
【請求項１】
正面視で、本体を含み、前記本体の外側端面には目盛盤が設置され、前記本体の前側端面には水管が固定的に取り付けられ、前記水管の中には通水孔が設置され、前記本体の中には前記通水孔と連通した連結溝が設置され、前記本体の後側端面には回転溝が設置され、前記回転溝の左右内壁の間には回転棒が回転可能に装着され、前記回転棒には連結ブロックが固定的に装着され、前記連結ブロックの頂部端面にはコップ蓋が固定的に装着され、前記コップ蓋の前側端面には紐が固定的に装着され、前記紐には密封蓋が固定的に連結され、前記密封蓋の頂部端面には下方に開口した密封口が設置され、前記水管は前記密封蓋の中に引っ掛かることができ、前記連結溝の上方ににはスライド溝が連通するように設置され、前記スライド溝の中にはスライド棒がスライド可能に装着され、前記連結溝の底壁には第一引掛り溝が連通するように設置され、前記スライド棒は前記第一引掛り溝の中に引っ掛かり前記第一引掛り溝を密封することができ、前記スライド溝の上方には上方に開口した位置制限チャンバが連通するように設置され、前記位置制限チャンバの中には位置制限板がスライド可能に装着され、前記位置制限板と前記スライド棒とは固定的に連結され、前記位置制限板の底部端面と前記位置制限チャンバの底壁との間には第一ばねが固定的に装着され、前記コップ蓋の底部端面には位置制限ブロックが固定的に装着され、コップを利用する時に、前記密封蓋を前記水管から取り外し、そして前記コップ蓋を開け、前記コップ蓋が前記位置制限ブロックを上に移動連動させ、前記位置制限ブロックが上に移動することで前記位置制限板は連動されて前記スライド棒を上に移動させ、前記スライド棒が前記第一引掛り溝の中から離脱し、そして前記通水孔を通じて水を注ぎ、前記本体の中にはコップチャンバが設置され、前記コップチャンバの中には連結板が固定的に装着され、前記連結板の底部端面と前記コップチャンバの底壁との間には補助棒が固定的に装着され、前記補助棒には定量板がスライド可能に装着され、前記連結板と前記補助棒との間にはプッシュ機構が設置され、前記プッシュ機構は水に前記定量板を通過させることができ、前記本体の下方には移動機構が設置され、前記移動機構は前記定量板の上下移動を連動させることができることを特徴とする定量コップ。
【請求項２】
前記プッシュ機構は前記本体の中に左右対称に設置されたボタンチャンバを含み、前記ボタンチャンバの中にはボタンがスライド可能に装着され、前記ボタンと前記ボタンチャンバとの間には第二ばねが固定的に装着され、前記連結板の中には前記ボタンチャンバと連通したプッシュ溝が左右対称に設置され、前記プッシュ溝の中にはプッシュ棒がスライド可能に装着され、前記補助棒の中には前記プッシュ溝と連通した補助チャンバが左右対称に設置され、前記補助チャンバの中には移動板がスライド可能に装着され、前記移動板と前記補助チャンバとの間には第三ばねが固定的に装着され、前記移動板の中には下方に開口したばねチャンバが設置され、前記ばねチャンバの中には伸縮ブロックがスライド可能に装着され、前記伸縮ブロックの頂部端面と前記ばねチャンバの頂壁との間には第四ばねが固定的に取り付けられ、前記伸縮ブロックの底部端面には連通板が固定的に装着され、前記定量板には前記補助チャンバと連通した移動溝が左右対称に設置され、前記移動溝と前記連通板とはスライド可能に装着され、前記定量板の中には抜き穴が左右対称に設置され、前記抜き穴には第二引掛り溝が連通するように設置され、前記連通板は前記第二引掛り溝の中に引っ掛かり前記第二引掛り溝を密封することができ、前記定量板を移動させるのと同時に、前記伸縮ブロックは前記ばねチャンバの中でスライドし、手で両側の前記ボタンを押し、前記ボタンが移動し前記プッシュ棒の移動を連動させ、両側の前記プッシュ棒が互いに近寄ることで両側の前記移動板を互いに近寄らせ、前記伸縮ブロックにより前記連通板は移動連動され、前記連通板と前記第二引掛り溝との引掛り状態は解除され、水は前記抜き穴を通過して流れることを特徴とする請求項１に記載の定量コップ。
【請求項３】
前記移動機構は本体の底部端面に固定的に装着された固定ブロックを含み、前記固定ブロックの底部端面の中には下方に開口した回転チャンバが設置され、前記回転チャンバの中には回転ブロックがスライド可能に装着され、前記回転チャンバの頂部端面には前記連結板と回転可能に設置されたネジボルトが固定的に装着され、前記ネジボルトと前記本体とは回転可能に装着され、前記連結板の底部端面と前記コップチャンバの底壁との間には固定棒が固定的に装着され、前記定量板と前記ネジボルトとはネジ山によって装着され、前記定量板と前記固定棒とはスライド可能に装着され、定量板の上下位置を調整する時には、手で前記回転ブロックを回し、前記回転ブロックの回転は前記ネジボルトの回転を連動させ、前記ネジボルトの回転は前記定量板を上下に移動させることを特徴とする請求項１に記載の定量コップ。
【発明の詳細な説明】
【技術分野】
【０００１】
本発明はコップ分野を取り上げ、具体的には定量コップである。
【背景技術】
【０００２】
人々はものを水に漬けるときに、規定量の水を入れる必要がある。しかし、一般的なコップは定量の水を測れないため、水を入れる時に、多すぎるか少なすぎるか、調整するのが難しいであり、水に浸るものの栄養又は食感をなくしてしまう。
【先行技術文献】
【特許文献】
【０００３】
【特許文献１】中国特許出願公開第１０４１０６９５７号明細書
【発明の概要】
【発明が解決しようとする課題】
【０００４】
本発明は定量コップを提供し、既存技術にある上記の欠点を解消することを目的とする。
【課題を解決するための手段】
【０００５】
本発明の定量コップは、本体を含み、前記本体の外側端面には目盛盤が設置され、前記本体の前側端面には水管が固定的に取り付けられ、前記水管の中には通水孔が設置され、前記本体の中には前記通水孔と連通した連結溝が設置され、前記本体の後側端面には回転溝が設置され、前記回転溝の左右内壁の間には回転棒が回転可能に装着され、前記回転棒には連結ブロックが固定的に装着され、前記連結ブロックの頂部端面にはコップ蓋が固定的に装着され、前記コップ蓋の前側端面には紐が固定的に装着され、前記紐には密封蓋が固定的に連結され、前記密封蓋の頂部端面には下方に開口した密封口が設置され、前記水管は前記密封蓋の中に引っ掛かることができ、前記連結溝の上方ににはスライド溝が連通するように設置され、前記スライド溝の中にはスライド棒がスライド可能に装着され、前記連結溝の底壁には第一引掛り溝が連通するように設置され、前記スライド棒は前記第一引掛り溝の中に引っ掛かり前記第一引掛り溝を密封することができ、前記スライド溝の上方には上方に開口した位置制限チャンバが連通するように設置され、前記位置制限チャンバの中には位置制限板がスライド可能に装着され、前記位置制限板と前記スライド棒とは固定的に連結され、前記位置制限板の底部端面と前記位置制限チャンバの底壁との間には第一ばねが固定的に装着され、前記コップ蓋の底部端面には位置制限ブロックが固定的に装着され、コップを利用する時に、前記密封蓋を前記水管から取り外し、そして前記コップ蓋を開け、前記コップ蓋が前記位置制限ブロックを上に移動連動させ、前記位置制限ブロックが上に移動することで前記位置制限板は連動されて前記スライド棒を上に移動させ、前記スライド棒が前記第一引掛り溝の中から離脱し、そして前記通水孔を通じて水を注ぎ、前記本体の中にはコップチャンバが設置され、前記コップチャンバの中には連結板が固定的に装着され、前記連結板の底部端面と前記コップチャンバの底壁との間には補助棒が固定的に装着され、前記補助棒には定量板がスライド可能に装着され、前記連結板と前記補助棒との間にはプッシュ機構が設置され、前記プッシュ機構は水に前記定量板を通過させることができ、前記本体の下方には移動機構が設置され、前記移動機構は前記定量板の上下移動を連動させることができる。
【０００６】
さらなる技術プランとして、前記プッシュ機構は前記本体の中に左右対称に設置されたボタンチャンバを含み、前記ボタンチャンバの中にはボタンがスライド可能に装着され、前記ボタンと前記ボタンチャンバとの間には第二ばねが固定的に装着され、前記連結板の中には前記ボタンチャンバと連通したプッシュ溝が左右対称に設置され、前記プッシュ溝の中にはプッシュ棒がスライド可能に装着され、前記補助棒の中には前記プッシュ溝と連通した補助チャンバが左右対称に設置され、前記補助チャンバの中には移動板がスライド可能に装着され、前記移動板と前記補助チャンバとの間には第三ばねが固定的に装着され、前記移動板の中には下方に開口したばねチャンバが設置され、前記ばねチャンバの中には伸縮ブロックがスライド可能に装着され、前記伸縮ブロックの頂部端面と前記ばねチャンバの頂壁との間には第四ばねが固定的に取り付けられ、前記伸縮ブロックの底部端面には連通板が固定的に装着され、前記定量板には前記補助チャンバと連通した移動溝が左右対称に設置され、前記移動溝と前記連通板とはスライド可能に装着され、前記定量板の中には抜き穴が左右対称に設置され、前記抜き穴には第二引掛り溝が連通するように設置され、前記連通板は前記第二引掛り溝の中に引っ掛かり前記第二引掛り溝を密封することができる。
【０００７】
さらなる技術プランとして、前記移動機構は本体の底部端面に固定的に装着された固定ブロックを含み、前記固定ブロックの底部端面の中には下方に開口した回転チャンバが設置され、前記回転チャンバの中には回転ブロックがスライド可能に装着され、前記回転チャンバの頂部端面には前記連結板と回転可能に設置されたネジボルトが固定的に装着され、前記ネジボルトと前記本体とは回転可能に装着され、前記連結板の底部端面と前記コップチャンバの底壁との間には固定棒が固定的に装着され、前記定量板と前記ネジボルトとはネジ山によって装着され、前記定量板と前記固定棒とはスライド可能に装着される。
【発明の効果】
【０００８】
本発明の有益な効果は：本発明は定量板の位置を調整し、そしてプッシュ機構と協働することで、定量の水を取ることができ、あるいはコップ内の水量を調整でき、人々が規定量の水でものを漬けるのにより便利にさせ、ものの食感や栄養に影響しなく、普及に値するである。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の構成略図
【図２】図２は図１におけるＡ―Ａ方向からの断面構成略図
【図３】図３は図１におけるＢのところの拡大略図
【図４】図４は図２におけるＣのところの拡大略図
【発明を実施するための形態】
【００１１】
下記に図１〜４をあわせて本発明について詳しく説明し、また、便利に説明できるよう、下記の方向を以下のように規定する：以下に述べる上下左右前後の方向と図１の自身投影関係の上下左右前後の方向とが一致である。
【００１２】
図１〜４を参照し、本発明の定量コップは、本体１８を含み、前記本体１８の外側端面には目盛盤が設置され、前記本体１８の前側端面には水管４９が固定的に取り付けられ、前記水管４９の中には通水孔４８が設置され、前記本体１８の中には前記通水孔４８と連通した連結溝４７が設置され、前記本体１８の後側端面には回転溝３４が設置され、前記回転溝３４の左右内壁の間には回転棒３３が回転可能に装着され、前記回転棒３３には連結ブロック３２が固定的に装着され、前記連結ブロック３２の頂部端面にはコップ蓋１３が固定的に装着され、前記コップ蓋１３の前側端面には紐５２が固定的に装着され、前記紐５２には密封蓋５１が固定的に連結され、前記密封蓋５１の頂部端面には下方に開口した密封口５０が設置され、前記水管４９は前記密封蓋５１の中に引っ掛かることができ、前記連結溝４７の上方ににはスライド溝４４が連通するように設置され、前記スライド溝４４の中にはスライド棒４５がスライド可能に装着され、前記連結溝４７の底壁には第一引掛り溝４６が連通するように設置され、前記スライド棒４５は前記第一引掛り溝４６の中に引っ掛かり前記第一引掛り溝４６を密封することができ、前記スライド溝４４の上方には上方に開口した位置制限チャンバ４１が連通するように設置され、前記位置制限チャンバ４１の中には位置制限板４２がスライド可能に装着され、前記位置制限板４２と前記スライド棒４５とは固定的に連結され、前記位置制限板４２の底部端面と前記位置制限チャンバ４１の底壁との間には第一ばね４３が固定的に装着され、前記コップ蓋１３の底部端面には位置制限ブロック４０が固定的に装着され、コップを利用する時に、前記密封蓋５１を前記水管４９から取り外し、そして前記コップ蓋１３を開け、前記コップ蓋１３が前記位置制限ブロック４０を上に移動連動させ、前記位置制限ブロック４０が上に移動することで前記位置制限板４２は連動されて前記スライド棒４５を上に移動させ、前記スライド棒４５が前記第一引掛り溝４６の中から離脱し、そして前記通水孔４８を通じて水を注ぎ、前記本体１８の中にはコップチャンバ２２が設置され、前記コップチャンバ２２の中には連結板１１が固定的に装着され、前記連結板１１の底部端面と前記コップチャンバ２２の底壁との間には補助棒２７が固定的に装着され、前記補助棒２７には定量板２１がスライド可能に装着され、前記連結板１１と前記補助棒２７との間にはプッシュ機構８０が設置され、前記プッシュ機構８０は水に前記定量板２１を通過させることができ、前記本体１８の下方には移動機構９０が設置され、前記移動機構９０は前記定量板２１の上下移動を連動させることができる。
【００１３】
前記プッシュ機構８０は前記本体１８の中に左右対称に設置されたボタンチャンバ１５を含み、前記ボタンチャンバ１５の中にはボタン１７がスライド可能に装着され、前記ボタン１７と前記ボタンチャンバ１５との間には第二ばね１６が固定的に装着され、前記連結板１１の中には前記ボタンチャンバ１５と連通したプッシュ溝１２が左右対称に設置され、前記プッシュ溝１２の中にはプッシュ棒１４がスライド可能に装着され、前記補助棒２７の中には前記プッシュ溝１２と連通した補助チャンバ２８が左右対称に設置され、前記補助チャンバ２８の中には移動板３５がスライド可能に装着され、前記移動板３５と前記補助チャンバ２８との間には第三ばね３９が固定的に装着され、前記移動板３５の中には下方に開口したばねチャンバ３６が設置され、前記ばねチャンバ３６の中には伸縮ブロック３８がスライド可能に装着され、前記伸縮ブロック３８の頂部端面と前記ばねチャンバ３６の頂壁との間には第四ばね３７が固定的に取り付けられ、前記伸縮ブロック３８の底部端面には連通板３０が固定的に装着され、前記定量板２１には前記補助チャンバ２８と連通した移動溝５３が左右対称に設置され、前記移動溝５３と前記連通板３０とはスライド可能に装着され、前記定量板２１の中には抜き穴２９が左右対称に設置され、前記抜き穴２９には第二引掛り溝３１が連通するように設置され、前記連通板３０は前記第二引掛り溝３１の中に引っ掛かり前記第二引掛り溝３１を密封することができ、それにより、定量板２１を移動させるのと同時に、伸縮ブロック３８はばねチャンバ３６の中でスライドし、手で両側のボタン１７を押し、ボタン１７が移動しプッシュ棒１４の移動を連動させ、両側のプッシュ棒１４が互いに近寄ることで両側の移動板３５を互いに近寄らせ、伸縮ブロック３８により連通板３０は移動連動され、連通板３０と第二引掛り溝３１との引掛り状態は解除され、水は抜き穴２９を通過して流れる。
【００１４】
前記移動機構９０は本体１８の底部端面に固定的に装着された固定ブロック２６を含み、前記固定ブロック２６の底部端面の中には下方に開口した回転チャンバ１９が設置され、前記回転チャンバ１９の中には回転ブロック２０がスライド可能に装着され、前記回転チャンバ２０の頂部端面には前記連結板１１と回転可能に設置されたネジボルト２３が固定的に装着され、前記ネジボルト２３と前記本体１８とは回転可能に装着され、前記連結板１１の底部端面と前記コップチャンバ２２の底壁との間には固定棒２３が固定的に装着され、前記定量板２１と前記ネジボルト２３とはネジ山によって装着され、前記定量板２１と前記固定棒２４とはスライド可能に装着され、それにより、定量板２１の上下位置を調整する時には、手で回転ブロック２０を回し、回転ブロック２０の回転はネジボルト２３の回転を連動させ、ネジボルト２３の回転は定量板を上下に移動させる。
【００１５】
利用時、コップを使用する時には、前記密封蓋５１を前記水管４９から取り外し、そして前記コップ蓋１３を開け、前記コップ蓋１３は前記位置制限ブロック４０を上に移動連動させ、前記位置制限ブロック４０が上に移動することで前記位置制限板４２は前記スライド棒４５を上に移動連動させ、前記スライド棒４５は前記第一引掛り溝４６の中から離脱し、そして、前記通水孔４８を通じて水を注ぎ、定量の水を注いた時、定量板２１の上下位置を調整する必要があり、手で回転ブロック２０を回し、回転ブロック２０の回転はネジボルト２３の回転を連動させ、ネジボルト２３の回転は定量板２１を上下に移動させ、本体１８の外側端面の目盛りによって定量板２１を一定の距離に移動させ、定量板２１を移動させるのと同時に、伸縮ブロック３８はばねチャンバ３６の中にスライドし、手で両側のボタン１７を押し、ボタン１７の移動はプッシュ棒１４の移動を連動させ、両側のプッシュ棒１４が互いに近寄ることで両側の移動板３５を互いに近寄らせ、伸縮ブロック３８によって連通板３０は移動連動され、連通板３０と第二引掛り溝３１との引掛り状態は解除され、水は抜き穴２９を通過し流れ、水が一定の量に達した時、両側のボタン１７を放し、定量の水を通水孔４８から注ぎ出す。
【００１６】
本発明の有益な効果は：本発明は定量板の位置を調整し、そしてプッシュ機構と協働することで、定量の水を取ることができ、あるいはコップ内の水量を調整でき、人々が規定量の水でものを漬けるのにより便利にさせ、ものの食感や栄養に影響しなく、普及に値するである。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020179134.tif 000003
【図２】
2020179134.tif 000004
【図３】
2020179134.tif 000005
【図４】
2020179134.tif 000006